(57)【要約】【課題】箸、スプーンその他の食事道具や弁当入れ等の容器を使用せずに、汚れた手指でも、食品に全く触れずに、押し出して、衛生的に食事できる携帯用食事容器を提供する。【解決手段】わん状の容器１０に入れた棒状食品４０を、凸凹を形成した開口部２２を設けた筒状袋２０に入れて閉じ、片手指５０で開口したのち、片手指５０で筒状袋２０の外側からわん状の容器１０を押し上げて、直接、口移しして食事できるようにしたものである。【選択図】        図４
2005132402.tif 000002
【特許請求の範囲】
【請求項１】
片手指で押圧しても容易に変形しないようにした薄厚のボウル状部分の上周端に連設した薄厚の短筒状部分の上周端に外側に向けた薄厚の鍔状物が僅かに突出した形状の合成樹脂製食品押し出し具と、開口端を凸部と凹部に形成し、前記食品押し出し具の鍔状物の外径が嵌入できるようにした筒状袋とからなり、前記食品押し出し具のボウル状部分に食品の下部を入れて、前記筒状袋の開口端から前記食品押し出し具を前記食品と共に嵌入させて、前記ボウル状部分の下部を前記筒状袋の下部に送り、前記筒状袋の開口端を輪ゴムその他の片手指で取り除くことができる封緘具で閉じて保存し、前記食品を前記筒状袋から取り出すときは、前記筒状袋の封緘具を取り除いて前記筒状袋の開口端を開き、前記食品押し出し具のボウル状部分を前記筒状袋の外側下部から、片手指で、順次押圧して、前記筒状袋の開口端から前記食品及びその上にのせられた食品を前記筒状袋から押し出して、直接、口移しにより食事することができるようにしたことを特徴とする携帯用食事容器。
【発明の詳細な説明】
【技術分野】
【０００１】
本発明は、筒状袋内の食品を押し出すことができるようにした携帯用食事容器に関する。
【背景技術】
【０００２】
従来の食品入れは、飲料を除いて収容した食品を食するときは、箸、さじ、フオーク等の道具を介して、又は、直接手づかみで行われていた。
従つて、従来の食品入れは、歩行中、乗車中、作業中などで身体が動揺しているとき、視力を食事以外のことに集中しなければならないとき、病気、身体障害などで身体が不自由なときなど、上述の食事方法が困難な場合が多い。
本発明者は、特開２００２−８００７６号公報、特開２００３−５４６５６号公報に示すように、片手指で操作するだけで、筒状袋に入れられた食品をそのまま押し出して、直接に口移しして食することができるようにした携帯用食事容器を開発したが、筒状袋内で食品の押し出しに使用される食品押し出し具が射出成形法では、比較的高価につくと共に、厚み約０．５ミリメートル以下の薄物の成形が困難な欠点があった。  そこで、本発明者らは、安価で薄物が容易に成形される真空成形によるいわゆる耳付き容器を食品押し出し具に使用するため、筒状袋の開口端の改良に成功した。
【特許文献１】特開２００２−８００７６号
【特許文献２】特開２００３−５４６５６号
【発明の開示】
【発明が解決しようとする課題】
【０００３】
本発明は、歩行中、乗車中、作業中、病気中のときや、身体障害者、視力障害者、老人などで、通常の食事方法が困難な場合に、道具や食器を使用することなく、手指を汚すことなく、また、汚れた手であつても衛生的に、片手指だけで、筒状袋に収容した食品を、押し出して、直接口元にもってゆき、確実に食事をすることができるようにした携帯用食事容器を提供するものである。
また、本発明は、片手指だけで、筒状袋の外側下部から順次上方に押圧してゆけば、容易に食品が開口部から順次押し出されて、直接、口移しして食することができる携帯用食事容器を提供するものである。
また、本発明は、少量多種類の食品を、選択的に、短時間で食事するのに適した携帯用食事容器を提供するものである。
また、本発明は、小型化が可能で、小物入れバッグやポケットなどに容易に収納して携行でき、また、店頭陳列に場所をとらず、多量の保存、運搬、使用後の廃品処理に容易な、携帯用食事容器を提供するものである。
更に、本発明は、製作容易で安価につく、携帯用食事容器を提供するものである。
【課題を解決するための手段】
【０００４】
本発明携帯用食事容器は、上記課題を達成するため、図１乃至図４に示するように、片手指５０で押圧しても容易に変形しないようにした薄厚のボウル状部分１１の上周端に連設した薄厚の短筒状部分１２の上周端に外側に向けた薄厚の鍔状物１３が僅かに突出した形状の合成樹脂製食品押し出し具１０と、開口端２２を凸部２２１と凹部２２２に形成し、前記食品押し出し具１０の鍔状物１３の外径が嵌入できるようにした筒状袋２０とからなり、前記食品押し出し具１０のボウル状部分１１に食品４０の下部を入れて、前記筒状袋２０の開口端２２から前記食品押し出し具１０を前記食品４０と共に嵌入させて、前記ボウル状部分１１の下部を前記筒状袋２０の下部２１に送り、前記筒状袋２０の開口端２２を輪ゴムその他の片手指で取り除くことができる封緘具３０で閉じて保存し、前記食品４０を前記筒状袋２０から取り出すときは、前記筒状袋２０の封緘具３０を取り除いて前記筒状袋２０の開口端２２を開き、前記食品押し出し具１０のボウル状部分１１を前記筒状袋２０の外側下部から、片手指５０で、順次押圧して、前記筒状袋２０の開口端２２から前記食品４０及びその上にのせられた食品４０を前記筒状袋２０から押し出して、直接、口移しにより食事することができるようにしたものである。
本発明において、食品押し出し具は、薄厚のボウル（ｂｏｗｌ）状部分の上周端に連設した薄厚の短筒状部分に、さらに、その上周端に外側に向けた薄厚の鍔状物が僅かに突出した形状の合成樹脂成形品でつくられるが、少なくともボウル状部分は片手指で押圧しても容易に変形しない構造強度を有する薄肉合成樹脂成形品が好ましい。また、短筒部分は、筒状容器の外側から押圧した際に、上昇のための方向性を与えるのに役立つ。
本発明において、食品は、おにぎり、巻ずし等のめし類、はんぺん等の練製品、ウィンナ等の燻製品、菓子、パン等の多種類のものが含まれる。これらの食品は棒状物、俵状物、球状物、卵状物等が好ましい。
また、本発明における食品は、そのまま食べられる食品のほか、調理又は加熱などの処理をする必要のある食品にも適用される。
本発明において、筒状袋は、食品押し出し具の鍔状物の外径が嵌入できる内径を有するポリエチレン、ポリプロピレン等の公知の薄合成樹脂フィルム製筒状袋が望ましく、筒状袋の開口端は凸部と凹部に形成され、食品押し出し具を筒状袋に嵌入する際に、食品押し出し具の鍔状物が筒状袋の開口端の凸部に沿って凹部を介して嵌入できるように凸部と凹部とが形成される。
本発明において、筒状袋の下部に送られた食品押し出し具を押し出すときは、片手指で、筒状容器の外側下部から食品押し出し具のボウル状部分を、片手指の親指先と人差し指先、または、親指先と人差し指先と中指先でつまむか、複数の片手指でにぎる操作によって行われる。
さらに、老人、幼年者、身障者の場合は、一方の片手指で筒状袋を握り、他方の片手指で前述の操作を行うことができる。また、両手指を使用するこの操作は、筒状袋の食品が大径の場合にも適用できる。
また、本発明において、封緘具は、親指先と人差し指先など片手指で筒状袋の上部を握って取り除くことができる物品はすべて含まれる。
【発明の効果】
【０００５】
本発明の携帯用食事容器は、食品押し出し具の薄物と薄フィルムの筒状袋さえあれば、箸、スプーン、その他の食事道具や弁当入れなどの容器を使用せずに、汚れた手指でも、食品に直接接触せずに、即座に食事することができ、包装、保管も簡単で、また、極めて安価に食品押し出し具や筒状袋を製造できる利点がある。
【発明を実施するための最良の形態】
【０００６】
食品押し出し具は、真空成形すれば簡単容易に製作でき、また、筒状袋は開口部を切り込めば簡単容易に製作でき、いづれも安価に量産することが実現できた。
【実施例１】
【０００７】
本発明の実施例１が図１乃至図４に示されている。
本発明の実施例１の携帯用食事容器は、食品押し出し具１０と筒状袋２０とからなり、食品押し出し具１０は、図２に示すように、約０．４ミリメートル厚のボウル状部分１１の上周端に約０．４ミリメートル厚の短筒部分１２が連設され、短筒部分１２の上周端に約０．４ミリメートル厚で約０．５〜約１．０ミリメートル外側に向けて突出した鍔状物１３が連設されたもので、少なくともボウル状部分１１は、指先でおさえて凹まない程度の薄肉のポリプロピレン、ポリエチレンテレフタレート、又は、これらのラミネートフィルム等の合成樹脂製フィルムの真空成形品でつくられている。
筒状袋２０は、薄肉のポリエチレン、ポリプロピレン、ポリエチレンテレフタレート等の合成樹脂フィルム製の公知のもので、開口端２２は一対の凸部２２１と一対の凹部２２２とから形成され、食品押し出し具１０の鍔状物１３の外径が嵌入できる内径を有している。
封緘具３０は、通常の輪ゴムで親指先と人差し指先で袋２０の上部を握って容易に取り除くことができるものである。
食品４０は、食品押し出し具１０のボウル状部分１１の下部に食品の下部が嵌入できる外径の棒状に形成されたおにぎりで例示されている。
従つて、図１に示すように、筒状袋２０の開口部２２の凸部２２１に沿わせて凹部２２２から筒状袋２０内の下部２１に向かって、食品押し出し具１０のボウル状部分１１の下部に食品４０の下部を入れたものを嵌入し、図３に示すように、ゴム紐３０で巻いて閉口すれば、携帯用食事容器が出来上がる。
開口は片手指でゴム紐３０をずらして除去すればよい。
次に、図４に示すように、筒状袋２０の下端部２１を、外側から片手指５０の親指先と人差し指先でつまんで（そのほか前述した手指の操作によって）、食品押し出し具１０のボウル状部分１１の下部を袋２０の下部２１の外側から押圧し、順次上方に押圧し、食品押し出し具１０を袋２０内に上昇させて、開口部２２から食品４０を押し出し、そのまま、直接、口元に移して食事をすることができる。
【実施例２】
【０００８】
本発明の実施例２が図５に示されている。
本発明の実施例２の筒状袋２０Ｂは、薄肉のポリエチレン、ポリプロピレン、ポリエチレンテレフタレート等の合成樹脂フィルム、又は、これらのラミネートフィルム製の公知のもので、開口端２２Ｂは３対の凸部２２１Ｂと３対の凹部２２２Ｂとから形成され、食品押し出し具１０の鍔状物１３の外径が嵌入できる内径を有している。
食品押し出し具１０、封緘具３０は実施例１と同一で、本実施例発明の作用効果は実施例１と同様であるので詳細説明は省略する。
【産業上の利用可能性】
【０００９】
従来の食事道具や食事容器を全く使用せず、わん状小容器と筒状袋があれば食事できるので、画期的な便利さがあり、量産すれば極めて安価に使用できる。
【図面の簡単な説明】
【００１０】
【図１】本発明の実施例１の筒状袋の正面図である。
【図２】図１に使用する食品押し出し具の拡大斜視図である。
【図３】本発明の実施例１の使用状態説明図である。
【図４】本発明の実施例１の別の使用状態説明図である。
【図５】本発明の実施例２の筒状袋の正面図である。
【符号の説明】
【００１１】
１０    食品押し出し具
１１    ボウル状部分
１２    短筒状部分
１３    鍔状物
２０、２０Ｂ    筒状袋
２１、２１Ｂ    筒状袋の下部
２２、２２Ｂ    筒状袋の開口部
２２１、２２１Ｂ  筒状袋の開口部の凸部
２２２、２２２Ｂ  筒状袋の開口部の凹部
３０    封緘具
４０    食品
５０    片手指
【図１】
2005132402.tif 000003
【図２】
2005132402.tif 000004
【図３】
2005132402.tif 000005
【図４】
2005132402.tif 000006
【図５】
2005132402.tif 000007